(57)【特許請求の範囲】
【請求項１】
アンテナ素子の中央において角度αで屈曲した１波長の第１アンテナ素子と、アンテナ素子の中央において角度αで屈曲した１波長の第２アンテナ素子とを具備し、前記第１及び第２アンテナ素子を対向してひし形に配置し、前記第１アンテナ素子の一方の端部と前記第２アンテナ素子の一方の端部との間に給電点を配し、前記第１アンテナ素子及び前記第２アンテナ素子の他方の端部を開放して構成され、前記角度αを所定の角度に設定するようにしたことを特徴とするアンテナ装置。
【請求項２】
アンテナ素子の中央において角度αで屈曲した１波長の第３アンテナ素子と、アンテナ素子の中央において角度αで屈曲した１波長の第４アンテナ素子を、それぞれ前記第１及び第２アンテナ素子の前記他方の端部に連結するようにしたことを特徴とする請求項１記載のアンテナ装置。
【請求項３】
前記第１及び第２アンテナ素子の中央で屈曲した角度αを最適な放射指向性が得られる角度に設定するようにしたことを特徴とする請求項１または２記載のアンテナ装置。
【請求項４】
請求項１に記載のアンテナ装置を給電部に対し並列に複数接続したことを特徴とするアンテナ装置。
【請求項５】
前記第１及び第２アンテナ素子の中央で屈曲した角度αを最適な放射指向性が得られる角度に設定するようにしたことを特徴とする請求項４記載のアンテナ装置。
【請求項６】
前記第１及び第２アンテナ素子を誘電体基板上に形成された印刷パターンにより構成することを特徴とする請求項１、２、３、４または５記載のアンテナ装置。
【請求項７】
複数の前記第１及び第２アンテナ素子をそれぞれ一定の電気長を有する伝送線路で接続したことを特徴とする請求項２記載のアンテナ装置。
【請求項８】
請求項１乃至６に記載の複数のアンテナ装置を主放射方向が異なるように配置し、前記複数のアンテナ装置のうち１又は複数のアンテナ装置の所定の位置同士を短絡線路で電気的に結合／切断自在に接続するように構成し、前記第１アンテナ素子と前記第２アンテナ素子の所定の位置同士を短絡線路で電気的に結合した場合には、前記第１アンテナ素子、前記第２アンテナ素子及び短絡線路とが略４分の１波長のショートスタブとして動作するように前記所定の位置を設定するようにしたことを特徴とするアンテナ装置。
【発明の詳細な説明】
【０００１】
【発明の属する技術分野】
本発明は、ＰＨＳなどの移動体通信システムに使用されるアンテナ装置及びそれを内蔵した無線装置に関する。
【０００２】
【従来の技術】
従来、ＰＨＳなどの移動体通信システムにおいて、無線基地局装置や固定無線端末装置に使用されるアンテナ装置は高い利得が要求される。そのため、例えば、特開平５−２６７９３２号公報、特開平９−２３２８５１号公報及び特開平８−１３９５２１号公報に示されるように、多段コリニアアレイアンテナが利用されてきた。この種のアンテナは、垂直偏波で水平面内無指向性のアンテナを垂直方向に多段配列して垂直面内の指向性を絞ることにより高利得を確保するようにしたものである。
【０００３】
また、例えば、特開平５−２５９７３３号公報及び特開平８−３０４４３３号公報に示されるように、八木アンテナや反射板付きダイポールアンテナに代表されるようなエンドファイヤアレイアンテナが利用されていた。この種のアンテナは、主放射方向に平行な方向に無給電素子を配列して高利得を確保するようにしたものである。
【０００４】
また、例えば、特開平６−３３４４３４号公報に示されるように、パッチアレイアンテナに代表されるブロードサイドアレイアンテナが利用されていた。この種のアンテナは、主放射方向に対して垂直な面内に複数のアンテナを配列して分配給電を行い高利得を確保するようにしたものである。
【０００５】
また、例えば、特開平６−２６８４３２号公報及び実開平６−４４２１９号公報に示されるように、反射板付きループアンテナやスロットアンテナに代表される低姿勢アンテナが利用されていた。
【０００６】
一方、主にＶＨＦ帯に対して利用するようにしているブロードサイドアレイアンテナとしては、例えば、アンテナハンドブック（ＣＱ出版社）ｐ．３６６に示すような２つの１波長アンテナを正方形又は円形に配置したアンテナが知られている。
【０００７】
【発明が解決しようとする課題】
しかしながら、上記の従来の多段コリニアアレイアンテナでは、高い利得を確保するためには、多数のアンテナを垂直方向に多段配列する必要があり、例えば、１９００ＭＨｚ帯で１０ｄＢの利得を得るためには、約１ｍの高さを必要とするため、アンテナ設置場所の確保や機械強度の面で問題があった。また、その高さから無線装置に内蔵するには不向きなものであった。
【０００８】
また、上記の従来のエンドファイヤアレイアンテナでは、高い利得を確保するためには、多数のアンテナを主放射方向に配列する必要があり、アンテナ設置場所の確保や機械強度の面で問題があった。また、その構造から、無線装置に内蔵するには不向きなものであった。
【０００９】
また、上記の従来のブロードサイドアレイアンテナでは、高い利得を確保するためには、多数のアンテナを主放射方向に垂直な面に配列する必要があり、アンテナ全体の面積が大きくなるため、アンテナ設置場所の確保や機械強度の面で問題があった。また、その面積の大きさから、無線装置に内蔵するには不向きなものであった。
【００１０】
また、従来の低姿勢アンテナでは、小型で低姿勢な構造である反面、放射指向性を所望の特性に最適化できないという問題があった。
また、上記の２つの１波長アンテナを正方形又は円形に配置したアンテナでは、一定の垂直面内及び水平面内の放射指向性しか得られず所望の特性に最適化できないという問題があった。
【００１１】
本発明は、上記従来の種々の問題を総合的に解決するためになされたもので、２つの１波長アンテナを配置したブロードサイドアレイアンテナにおいて、最適な放射指向性を得るとともに、簡単な構成により高利得且つ高機能であり、ＵＨＦ帯及び準マイクロ波帯の移動体通信システム用として小型且つ低姿勢なアンテナ装置を提供することを目的とする。
【００１２】
【課題を解決するための手段】
本発明は、２つの１波長アンテナ素子を配置したブロードサイドアレイアンテナにおける１波長アンテナ素子の中央の屈曲角度を最適な角度に設定するようにしたものであり、簡単な平面構成で、所望の放射指向性が得られ、高い利得を有するアンテナ装置を得ることができる。
また、本発明は、上記アンテナの先端の開放部において複数連結するようにしたものであり、簡単な平面構成で、高い利得を有するアンテナ装置を得ることができる。
【００１３】
また、本発明は、上記アンテナを給電部において複数並列接続するようにしたものであり、簡単な平面構成で、高い利得を有するアンテナ装置を得ることができる。
また、本発明は、上記アンテナを誘電体基板上の印刷パターンにより形成するようにしたものであり、小型且つ簡単な平面構成で、所望の指向性が得られ、高い利得を有するアンテナ装置を得ることができる。
【００１４】
また、本発明は、複数の上記アンテナを一定の電気長を有する伝送線路で接続するようにしたものであり、アンテナ全体をＹ平面方向に簡単に延長することができ、所望の指向性が得られ、高い利得を有するアンテナ装置を得ることができる。
また、本発明は、２対の上記のアンテナをその主偏波方向が互いに直交するように配置して、それぞれのアンテナ装置にに対し互いに９０度位相が異なるように給電するようにしたものであり、簡単な平面構成で、所望の放射指向性が得られ、高い利得を有する円偏波アンテナを実現しうるアンテナ装置を得ることができる。
【００１５】
また、本発明は、２対の上記のアンテナを誘電体基板の両面に配置された印刷パターンで形成するようにしたものであり、小型且つ簡単な平面構成で、所望の放射指向性が得られ、高い利得を有する円偏波アンテナを実現しうるアンテナ装置を得ることができる。
また、本発明は、上記のアンテナに近接して反射板を設けるようにしたものであり、簡単な平面構成で、所望の放射指向性が得られ、高い利得を有するアンテナ装置を得ることができる。
【００１６】
また、本発明は、上記のアンテナに近接して複数の無給電素子を設けるようにしたものであり、簡単な平面構成で、所望の放射指向性が得られ、高い利得を有するアンテナ装置を得ることができる。
また、本発明は、上記のアンテナを放射器及び反射器として配置し、主放射方向に上記のアンテナに類似した形状の複数の導波器を配置するようにしたものであり、簡単な構成で、所望の放射指向性が得られ、高い利得を有するアンテナ装置を得ることができる。
【００１７】
また、本発明は、２対の上記のアンテナをその主偏波方向を同一にし、主放射方向が９０度異なるように配置して、それぞれのアンテナに互いに９０度位相が異なるように給電するようにしたものであり、簡単な構成で、所望の放射指向性が得られ、高い利得を有するアンテナ装置を得ることができる。
また、本発明は、２対の上記のアンテナをその主偏波方向を同一方向にし、主放射方向が異なるように配置するようにしたものであり、簡単な構成で、所望の放射指向性が得られ、高い利得を有するアンテナ装置を得ることができる。
【００１８】
また、本発明は、複数の上記のアンテナをその主偏波方向を同一方向にし、主放射方向が異なるように配置し、前記複数のアンテナ装置のうち１又は複数のアンテナ装置の相対向するアンテナ素子の一部同士を電子的に接続するよう制御するものであり、簡単な構成で、放射指向性が複数切り替えられ、高い利得を有するアンテナ装置を得ることができる。
また、本発明は、給電点に４分の１波長のショートスタブを接続し、前記ショートスタブのインピーダンスが最適な点に給電するようにしたものであり、簡単な構成で、小型な整合回路により良好なインピーダンス整合が得られ、高い利得を有するアンテナ装置を得ることができる。
【００１９】
また、本発明は、導体板に設けられたスロット素子の中央において角度αで屈曲した１波長の第１スロット素子と、前記導体板に設けられたスロット素子の中央において角度αで屈曲した１波長の第２スロット素子とを備え、第１及び第２スロット素子を対向してひし形に配置し、それぞれのスロット素子の片端を接続して給電部を設けるようにしたものであり、簡単な平面構成で、高い利得を有するスロットアンテナを実現するアンテナ装置を得ることができる。
【００２０】
また、本発明は、上記のスロットアンテナにおいて、１波長スロット素子の中央の屈曲角度を最適な角度に設定することにより最適な放射指向性を得るようにしたものであり、簡単な平面構成で、最適な放射指向性が得られ、高い利得を有するスロットアンテナを実現することができる。
また、本発明は、上記スロットアンテナを先端の開放部で複数連結するようにしたものであり、簡単な平面構成で、高い利得を有するスロットアンテナを実現するアンテナ装置を得ることができる。
【００２１】
また、本発明は、上記スロットアンテナを給電部で複数並列接続するようにしたものであり、簡単な平面構成で、最適な放射指向性が得られ、高い利得を有するスロットアンテナを実現するアンテナ装置を得ることができる。
また、本発明は、上記スロットアンテナを誘電体基板上の印刷パターンにより形成するようにしたものであり、小型且つ簡単な平面構成で、最適な放射指向性が得られ、高い利得を有するスロットアンテナを実現するアンテナ装置を得ることができる。
【００２２】
また、本発明は、上記のスロットアンテナに近接して反射板を設けるようにしたものであり、簡単な構成で、所望の放射指向性が得られ、高い利得を有するスロットアンテナを実現するアンテナ装置を得ることができる。
また、本発明は、上記のスロットアンテナに近接して複数の無給電素子を設けるようにしたものであり、簡単な構成で、所望の放射指向性が得られ、高い利得を有するスロットアンテナを実現するアンテナ装置を得ることができる。
また、本発明は、上記のアンテナ装置を無線装置に内蔵するようにしたものであり、所望の放射指向性が得られ、高い利得を有するアンテナを小型且つ簡単な構成で無線装置に内蔵する無線装置が得られる。
【００２３】
また、本発明は、上記のアンテナ装置を配列して無線基地局用のセクタアンテナ装置を構成するようにしたものであり、小型且つ簡単な構成で、所望の放射指向性が得られ、高い利得を有するダイバーシチアンテナやセクタアンテナを実現することができるアンテナ装置が得られる。
また、本発明は、複数のアンテナ装置で同一の反射板を共用するようにしたものであり、小型且つ簡単な構造で、所望の放射指向性が得られ、高い利得を有するダイバーシチアンテナやセクタアンテナを実現することができるアンテナ装置が得られる。
【００２４】
また、本発明は、上記のアンテナを配置して無線基地局用のセクタアンテナ装置を構成し、それを無線基地局に搭載するするようにしたものであり、小型且つ簡単な構造で、所望の放射指向性が得られ、高い利得を有するダイバーシチアンテナやセクタアンテナを内蔵することができる無線基地局が得られる。
また、本発明は、ひし形に配置した２つのアンテナ素子の中央を角度αで屈曲し、角度αを最適な放射指向性が得られる角度に設定するようにしたものであり、簡単な平面構成で、所望の放射指向性が得られ、高い利得を有するアンテナの指向性利得調整方法を得ることができる。
【００２５】
【発明の実施の形態】
請求項１に記載の発明におけるアンテナ装置は、アンテナ素子の中央において角度αで屈曲した１波長の第１アンテナ素子と、アンテナ素子の中央において角度αで屈曲した１波長の第２アンテナ素子とを具備し、前記第１及び第２アンテナ素子を対向してひし形に配置し、前記第１アンテナ素子の一方の端部と前記第２アンテナ素子の一方の端部との間に給電点を配し、前記第１アンテナ素子及び前記第２アンテナ素子の他方の端部を開放して構成され、前記角度αを所定の角度に設定するというものであり、簡単な平面構成で、最適な放射指向性が得られ、高い利得を有するアンテナ装置を得ることができるという作用を有する。
【００２６】
請求項２に記載の発明におけるアンテナ装置は、アンテナ素子の中央において角度αで屈曲した１波長の第３アンテナ素子と、アンテナ素子の中央において角度αで屈曲した１波長の第４アンテナ素子を、それぞれ前記第１及び第２アンテナ素子の前記他方の端部に連結するというものであり、簡単な平面構成で、主放射方向の利得を向上した最適な放射指向性が得られ、高い利得を有するアンテナ装置を得ることができるという作用を有する。
【００２７】
請求項３に記載の発明におけるアンテナ装置は、前記第１及び第２アンテナ素子の中央で屈曲した角度αを最適な放射指向性が得られる角度に設定するというものであり、簡単な平面構成で、最適な放射指向性が得られ、高い利得を有するアンテナ装置を得ることができるという作用を有する。
【００２８】
請求項４に記載の発明におけるアンテナ装置は、請求項１に記載のアンテナ装置を給電部に対し並列に複数接続するというものであり、簡単な平面構成で、更に高い利得を有するアンテナ装置を得ることができるという作用を有する。
【００２９】
請求項５に記載の発明におけるアンテナ装置は、前記第１及び第２アンテナ素子の中央で屈曲した角度αを最適な放射指向性が得られる角度に設定するというものであり、アンテナ装置を給電部に対し並列に複数接続した場合も、小型且つ簡単な平面構成で、最適な放射指向性が得られ、高い利得を有するアンテナ装置を得ることができるという作用を有する。
【００３０】
請求項６に記載の発明におけるアンテナ装置は、前記第１及び第２アンテナ素子を誘電体基板上に形成された印刷パターンにより構成するというものであり、アンテナ素子を印刷パターンにより構成した場合も、小型且つ簡単な平面構成で、所望の放射指向性が得られ、高い利得を有するアンテナ装置を得ることができるという作用を有する。
【００３１】
請求項７に記載の発明におけるアンテナ装置は、複数の前記第１及び第２アンテナ素子をそれぞれ一定の電気長を有する伝送線路で接続するというものであり、アンテナ全体をＹ平面方向に所望の長さ延長することができ、所望の放射指向性が得られ、高い利得を有するアンテナ装置を得ることができるという作用を有する。
【００４０】
請求項８に記載の発明におけるアンテナ装置は、請求項１乃至６に記載の複数のアンテナ装置を主放射方向が異なるように配置し、前記複数のアンテナ装置のうち１又は複数のアンテナ装置の所定の位置同士を短絡線路で電気的に結合／切断自在に接続するように構成し、前記第１アンテナ素子と前記第２アンテナ素子の所定の位置同士を短絡線路で電気的に結合した場合には、前記第１アンテナ素子、前記第２アンテナ素子及び短絡線路とが略４分の１波長のショートスタブとして動作するように前記所定の位置を設定するというものであり、簡単な構成で、放射指向性を複数切り替えて所望の指向性が得られ、高い利得を有する指向性切り替えアンテナ装置を得ることができるという作用を有する。
【００５６】
以下、添付図面、図１乃至図２３に基づき、本発明の実施の形態を詳細に説明する。
（第１の実施の形態）
まず、図１乃至図４を参照して、本発明の第１の実施の形態におけるアンテナ装置について詳細に説明する。図１は本発明の第１の実施の形態におけるアンテナ装置の構成を示す図、図２は図１に示すアンテナ装置の動作を説明する模式図、図３は図１に示すアンテナ装置の水平面放射パターンを示すグラフ図、図４は図１に示すアンテナ装置の垂直面放射パターンを示すグラフ図である。
【００５７】
次に、図１を参照して、本発明の第１の実施の形態におけるアンテナ装置の構成を説明する。図１において、１は第１アンテナ素子、２は第２アンテナ素子、３は給電部、４は開放部、１ａ、２ａは屈曲部である。
【００５８】
次に、本実施の形態におけるアンテナ装置の構成を更に詳細に説明する。第１アンテナ素子１及び第２アンテナ素子２は１波長の長さを持った導線で構成され、屈曲部１ａ及び２ａにおいて角度αで折り曲げられる。第１アンテナ素子１及び第２アンテナ素子２は図のようにひし形に対向して配置され、このひし形の一辺は２分の１波長（λ／２）となる。第１アンテナ素子１及び第２アンテナ素子２の一端には給電部３が設けられ、他の一端は開放部４に示すように電気的に開放される。例えば、アンテナ装置の動作周波数を１９００ＭＨｚに設定した場合、第１アンテナ素子１及び第２アンテナ素子２の長さは約１５８ｍｍとなり、ひし形の一辺は７９ｍｍとなる。角度αは３０乃至１５０度程度に設定される。
【００５９】
次に、図２乃至図４を参照して、本実施の形態におけるアンテナ装置の動作を説明する。上記のように構成された図１に示すアンテナ装置において、給電部３に高周波信号を励振すると、ひし形の一辺が２分の１波長（λ／２）であるので、第１アンテナ素子１及び第２アンテナ素子２に分布する電流は矢印５ａ乃至５ｄのようになる。この結果、各電流５ａ乃至５ｄの水平成分（Ｙ軸成分）は互いに打ち消し合い、垂直成分（Ｚ軸成分）は互いに強め合うように動作して、垂直（Ｚ軸）偏波の電波が放射される。垂直（Ｚ軸）偏波の電波の放射は、図１におけるＸ方向及び−Ｘ方向が最大となり、約６ｄＢの指向性利得が得られる。
【００６０】
この動作は、図２に示す４本の２分の１波長ダイポールアンテナが配列されたアレイアンテナの動作と等価になる。図２において、６ａ乃至６ｄは垂直偏波の２分の１波長ダイポールアンテナであり、ダイポールアンテナ６ａ乃至６ｄ間の角度α' 及び距離Ｓによって決定される縦横の配置間隔をもって配置される。各ダイポールアンテナ６ａ乃至６ｄに同位相同振幅の信号が励振されるとＸ軸方向に合成された強い放射が発生し、その放射パターンは縦横の配置間隔による配列係数よって決定される。
【００６１】
図２において、距離Ｓを約０．３２λ（波長の０．３２倍）に固定すると、図２に示すアレイアンテナにおいて、ダイポールアンテナ６ａ乃至６ｄ間の角度α' を変化させた場合の放射パターンの変化と、図１の第１の実施の形態のアンテナ装置において、第１及び第２アンテナ素子１、２の屈曲部１ａ、２ａの角度αを変化させた場合の放射パターンの変化がほぼ等しくなる。この様子を図３及び図４を用いて以下で説明する。
【００６２】
図３は図１及び図２に示すアンテナ装置の水平面（ＸＹ平面）の垂直偏波の放射パターンを示す図であり、横軸が放射角（度）で０度がＸ方向を示し、縦軸は最大放射方向のレベルで正規化した放射レベル相対値である。図３において、７は図１のアンテナ装置の屈曲部１ａ、２ａの角度α＝６０度、８は図２のダイポールアンテナ間の角度α' ＝６０度の場合の放射パターンである。また、９は図１のアンテナ装置の屈曲部１ａ、２ａの角度α＝１２０度、１０は図２のダイポールアンテナ間の角度α' ＝１２０度の場合の放射パターンである。
【００６３】
次に、図４は図１及び図２に示すアンテナ装置の垂直面（ＸＺ平面）の垂直偏波の放射パターンを示す図である。図４において、７乃至１０は図３と同様の場合の放射パターンである。ここで、図１の第１の実施の形態のアンテナ装置において、屈曲部１ａ、２ａの角度αを変化することにより水平面及び垂直面の放射パターンを大幅に変化させることができる。例えば、角度αを６０度から１２０度まで大きくすると水平面放射パターンの半値幅（−３ｄＢとなる放射角の幅）は１１８度から６４度まで小さくなり、垂直面放射パターンの半値幅は５０度から６８度へ大きくなる。また、この傾向は、図２に示すアレイアンテナにおいてもほぼ一致している。また、例えば、屈曲部１ａ、２ａの角度αを３０度から１５０度まで大きくすると、水平面放射パターンはほぼ無指向性から半値幅４７度まで変化し、垂直面放射パターンの半値幅は５０度から８０度へ大きくなる。
【００６４】
尚、本実施の形態では、主偏波方向を垂直（Ｚ）方向としているが、図１のアンテナ装置を９０度回転させて配置し、主偏波方向を水平（Ｙ）方向にしても水平偏波アンテナとして同様な動作を行う。
以上説明したように、第１の実施の形態のアンテナ装置では、角度αを変化させることにより、水平面及び垂直面の放射パターンを制御することができるため、所望の指向性を持った高い利得を有するアンテナを簡単な平面構成で実現することができる。
【００６５】
（第２の実施の形態）
次に、図５を参照して、本発明の第２の実施の形態におけるアンテナ装置について説明する。図５は本発明の第２の実施の形態におけるアンテナ装置の構成を示す図である。図５において、３は給電部、４は開放部、１１は第１アンテナ素子、１２は第２アンテナ素子、１１ａ、１１ｂ、１１ｃ、１２ａ、１２ｂ、１２ｃは屈曲部である。
【００６６】
更に、本実施の形態におけるアンテナ装置の構成を詳細に説明する。第１アンテナ素子１１及び第２アンテナ素子１２は、図５に示すように、例えば図１に示す第１及び第２アンテナ素子１、２のようなひし形のアンテナ素子を２つ連結したように対向して配置され、ひし形の一辺は２分の１波長（λ／２）となる。すなわち、第１アンテナ素子１１及び第２アンテナ素子１２は２波長の長さを持った導線で構成されることになり、屈曲部１１ａ乃至１１ｃ及び１２ａ乃至１２ｃにおいて角度αで折り曲げられた形状とされる。第１アンテナ素子１１及び第２アンテナ素子１２の一端には給電部３が設けられ、他の一端は開放部４に示すように電気的に開放される。
【００６７】
次に、図５を参照して、本実施の形態におけるアンテナ装置の動作を説明する。上記のように構成されたアンテナ装置において、給電部３に高周波信号を励振すると、ひし形の一辺が２分の１波長（λ／２）であるので、第１アンテナ素子１１及び第２アンテナ素子１２の各辺に分布する電流は矢印１３ａ乃至１３ｈのようになる。この結果、各電流の水平成分（Ｙ軸成分）は互いに打ち消し合い、垂直成分（Ｚ軸成分）は互いに強め合うように動作して、垂直（Ｚ軸）偏波の電波が放射される。電波の放射は、図５においてＸ方向及び−Ｘ方向が最大となり、約９ｄＢの指向性利得が得られる。
【００６８】
この動作は、図１に示す第１の実施の形態のアンテナ装置をＹ方向に２つ配列したアレイアンテナの動作とほぼ等価となる。したがって、図５の第２の実施の形態のアンテナ装置において、角度αを変化することにより水平面及び垂直面の放射パターンを大幅に変化させることができる。例えば、角度αを６０度から１２０度まで大きくすると水平面放射パターンの半値幅は５０度から３０度まで小さくなり、垂直面放射パターンの半値幅は５０度から６８度へ大きくなる。ここで、水平面放射パターンの半値幅は、図１に示す第１の実施の形態のアンテナ装置に比べて約半分となる。
【００６９】
尚、本実施の形態におけるように、複数のひし形のアンテナ素子を連結したような場合に、ひし形の連結部である屈曲部１１ｂ及び１２ｂを切断してひし形を切り離し、切断した第１アンテナ素子１１同士を一定の電気長を有する伝送線路で接続し、また切断した第２アンテナ素子１２同士を一定の電気長を有する伝送線路で接続するようにして、希望によりアンテナ装置の長さを制御することができる。
【００７０】
以上説明したように、本実施の形態におけるアンテナ装置では、角度αを変化させることにより、水平面及び垂直面の放射パターンを制御することができるため、所望の指向性を持った高い利得を有するアンテナを簡単な平面構成で実現することができる。
【００７１】
（第３の実施の形態）
次に、図６を参照して、本発明の第３の実施の形態におけるアンテナ装置について説明する。図６は本発明の第３の実施の形態におけるアンテナ装置の構成を示す図である。図６において、３は給電部、４ａ、４ｂは開放部、１４、１５は第１アンテナ素子、１６、１７は第２アンテナ素子、１４ａ、１５ａ、１６ａ、１７ａは屈曲部である。
【００７２】
更に、本実施の形態におけるアンテナ装置の構成を詳細に説明する。第１及び第２アンテナ素子１４乃至１７は１波長の長さを持った導線で構成され、屈曲部１４ａ乃至１７ａにおいて角度αで折り曲げられる。第１アンテナ素子１４、１５ンテナ素子と第２アンテナ素子１６、１７とは、図６に示すように連結され、その連結部に給電部３が設けられ、他端は開放部４ａ、４ｂで示すように電気的に開放される。
【００７３】
次に、図６を参照して、本実施の形態におけるアンテナ装置の動作を説明する。上記のように構成されたアンテナ装置において、給電部３に高周波信号を励振すると、ひし形の一辺が２分の１波長（λ／２）であるから、第１及び第２アンテナ素子１４乃至１７の各辺に分布する電流は矢印１８ａ乃至１８ｈのように流れる。この結果、各電流の水平成分（Ｙ軸成分）は互いに打ち消し合い、垂直成分（Ｚ軸成分）は互いに強め合うように動作して、垂直（Ｚ軸）偏波の電波が放射される。垂直（Ｚ軸）偏波の電波の放射は、図６において、Ｘ方向及び−Ｘ方向が最大となり、約９ｄＢの指向性利得が得られる。
【００７４】
この動作は、図１に示す第１の実施の形態のアンテナ装置をＹ方向に２つ配列して並列に給電したアレイアンテナの動作とほぼ等価となる。したがって、図６に示す第３の実施の形態のアンテナ装置では、角度αを変化した場合の放射パターンの変化は図５の第２の実施の形態におけるアンテナ装置とほぼ同一となる。また、給電点インピーダンスは図１に示す第１の実施の形態のアンテナ装置に比べて半分以下に低くなり、伝送線路との整合に対して好都合となる。
【００７５】
尚、本実施の形態では、図１に示すアンテナ装置を並列に給電したものであるが、図５に示すアンテナ装置を並列に給電した場合であっても同様な効果を得ることができる。
【００７６】
以上説明したように、第３の実施の形態におけるアンテナ装置では、角度αを変化させることにより、水平面及び垂直面の放射パターンを制御することができるほか、給電点インピーダンスを低くすることができ、所望の指向性を持った高い利得を有するアンテナを簡単な平面構成で実現することができる。
【００７７】
（第４の実施の形態）
次に、図７を参照して、本発明の第４の実施の形態におけるアンテナ装置について説明する。図７は本発明の第４の実施の形態におけるアンテナ装置の構成を示す図である。図７において、４は開放部、１９は誘電体基板、２０は第１アンテナ素子としての第１アンテナパターン、２１は第２アンテナ素子としての第２アンテナパターン、２２、２３は給電端子、２０ａ、２１ａは屈曲部である。
【００７８】
更に、本実施の形態におけるアンテナ装置の構成を詳細に説明する。第１及び第２アンテナパターン２０、２１は誘電体基板１９上に形成された印刷パターンで構成され、屈曲部２０ａ、２１ａにおいて角度αで折り曲げられる。第１及び第２アンテナパターン２０、２１の長さは、誘電体基板上で１波長の長さを持つように設定される。例えば、誘電体基板の実効比誘電率が２である場合、誘電体基板上の波長は自由空間の約半分に短縮されるため、動作周波数が１９００ＭＨｚの場合は、第１及び第２アンテナパターン２０、２１の長さは約８０ｍｍとなる。
【００７９】
次に、図７を参照して、本実施の形態におけるアンテナ装置の動作を説明する。上記のように構成されたアンテナ装置において、給電端子２２、２３に高周波信号を励振すると、図１に示す第１の実施の形態におけるアンテナ装置と同様に動作する。従って、更に詳細な説明は省略する。
【００８０】
以上説明したように、第４の実施の形態におけるアンテナ装置では、所望の指向性を持った高い利得を有するアンテナを、誘電体基板上の印刷パターンにより小型で簡単な平面構成で実現することができる。
【００８１】
（第５の実施の形態）
次に、図８を参照して、本発明の第５の実施の形態におけるアンテナ装置について説明する。図８は本発明の第５の実施の形態におけるアンテナ装置の構成を示す図である。図８において、２４は誘電体基板、２５、２６、２７、２８はアンテナ素子としてのアンテナパターン、２９、３０、３１、３２は給電端子、３３、３４は高周波信号源である。
【００８２】
更に、本実施の形態におけるアンテナ装置の構成を詳細に説明する。アンテナパターン２５及び２６は両面銅張の誘電体基板２４上の片面に形成された印刷パターン上に構成され、アンテナパターン２７及び２８は両面銅張の誘電体基板２４上の他の片面に形成された印刷パターンで構成される。アンテナパターン２５及び２５とアンテナパターン２７及び２８の長さは、それぞれ誘電体基板上で１波長の長さを持つように設定される。アンテナパターン２５及び２６と給電部２９及び３０と、アンテナパターン２７及び２８と給電部３１及び３２は、それぞれ単独のアンテナとして図７に示す第４の実施の形態のアンテナ装置と同様に動作する。
【００８３】
次に、図８を参照して、本実施の形態におけるアンテナ装置の動作を説明する。上記のように構成されたアンテナ装置において、高周波信号源３３及び３４から励振した場合、アンテナパターン２５及び２６は垂直（Ｚ方向）偏波を放射し、アンテナパターン２７及び２８は水平（Ｙ方向）偏波を放射する。したがって、高周波信号源３３及び３４の位相を互いに９０度異なるように設定した場合、Ｘ方向及び−Ｘ方向に円偏波の電波が放射され、約６ｄＢの指向性利得が得られる。また、Ｘ方向及び−Ｘ方向のいずれかに左旋円偏波又は右旋円偏波が放射されるが、その方向は、高周波信号源３３及び３４の位相の遅れ進みの関係により決定される。
【００８４】
尚、本実施の形態におけるアンテナ装置は誘電体基板上に構成しているが、図１に示すアンテナ装置を２対偏波方向を互いに直交させて配置すれば同様な効果を得ることができる。
【００８５】
以上説明したように、第５の実施の形態におけるアンテナ装置では、所望の指向性を持った高い利得を有する円偏波アンテナを、誘電体基板上の印刷パターンにより、小型で簡単な平面構成で実現することができる。
【００８６】
（第６の実施の形態）
次に、図９を参照して、本発明の第６の実施の形態におけるアンテナ装置について説明する。図９は本発明の第６の実施の形態におけるアンテナ装置の構成を示す図である。図９において、３３、３４は高周波信号源、３５、３６、３７、３８、３９、４０、４１、４２はアンテナ素子、４３は水平偏波アンテナ系、４４は垂直偏波アンテナ系である。
【００８７】
次に、図９を参照して、本実施の形態におけるアンテナ装置の動作を説明する。アンテナ素子３５及び３６と３９及び４０とは、高周波信号源３３により励振されて、図６に示す第３の実施の形態におけるアンテナ装置と同様に動作する水平偏波アンテナ系４３として動作し、アンテナ素子３８及び３９と４１及び４２とは、高周波信号源３４により励振されて、図６に示す第３の実施の形態におけるアンテナ装置と同様に動作する垂直偏波アンテナ系４４として動作する
【００８８】
水平偏波アンテナ系４３と垂直偏波アンテナ系４４とは、ＹＺ平面内で直交して配置される。したがって、高周波信号源３３及び３４の位相を互いに９０度異なるように設定した場合、Ｘ方向及び−Ｘ方向に円偏波の電波が放射され、約８ｄＢの指向性利得が得られる。また、Ｘ方向及び−Ｘ方向のいずれかに左旋円偏波又は右旋円偏波が放射されるが、その方向は、高周波信号源３３及び３４の位相の遅れ進みの関係により決定される。
【００８９】
以上説明したように、第６の実施の形態におけるアンテナ装置では、所望の指向性を持った高い利得を有する円偏波アンテナを、簡単な平面構成で実現することができる。
【００９０】
（第７の実施の形態）
次に、図１０を参照して、本発明の第７の実施の形態におけるアンテナ装置について説明する。図１０は本発明の第７の実施の形態におけるアンテナ装置の構成を示す図である。図１０において、３は給電部、４５は反射板、４６、４７はアンテナ素子である。
【００９１】
次に、図１０を参照して、本実施の形態におけるアンテナ装置の動作を説明する。アンテナ素子４６、４７は、図１に示す第１の実施の形態におけるアンテナ装置と同様に動作して、Ｘ方向及び−Ｘ方向に最大放射を発生する。しかし、本実施の形態におけるアンテナ素子４６、４７は、反射板４５から４８で示す距離を隔てて配置され、−Ｘ方向への放射は反射板４５により反射されてＸ方向に放射される。そのため、放射パターンはＸ方向に集中し、距離４８を０．３λ（波長の０．３倍）程度に選んだ場合、Ｘ方向に約９．５ｄＢの指向性利得を得ることができる。
【００９２】
尚、本実施の形態においても、屈曲部の角度αを変化させることにより、水平面及び垂直面の放射パターンを制御することができる。
以上説明したように、第７の実施の形態のアンテナ装置では、所望の指向性を持った高い利得を有するアンテナ装置を、簡単な平面構成で実現することができる。
【００９３】
（第８の実施の形態）
次に、図１１を参照して、本発明の第８の実施の形態におけるアンテナ装置について説明する。図１１は本発明の第８の実施の形態におけるアンテナ装置の構成を示す図である。図１１において、３は給電部、４９は反射板、５０、５１はアンテナ素子、５２、５３は無給電素子である。
【００９４】
次に、図１１を参照して、本実施の形態におけるアンテナ装置の詳細な構成及び動作について説明する。アンテナ素子５０、５１は、図１に示す第１の実施の形態におけるアンテナ装置と同様に動作する。またアンテナ素子５０、５１は、反射板４９から距離５４を隔てて配置され、無給電素子５２、５３は、２分の１波長よりわずかに短い導線で構成され、アンテナ素子５２、５３から距離５５だけＸ方向に離れた位置で、中心よりＹ及び−Ｙ方向へ距離５６だけ離れた位置に配置される。ここで、距離５４、５５を０．３λ（波長の０．３倍）程度に、また、距離５６を０．４λ（波長の０．４倍）程度に選んだ場合、Ｘ方向に半値幅１８０度の広角指向性が得られ、約６．５ｄＢの指向性利得を得ることができる。
【００９５】
以上説明したように、第８の実施の形態におけるアンテナ装置では、半値幅１８０度の広角指向性と高い利得を有するアンテナ装置を簡単な構成で実現することができる。
【００９６】
（第９の実施の形態）
次に、図１２を参照して、本発明の第９の実施の形態におけるアンテナ装置について説明する。図１２は本発明の第９の実施の形態におけるアンテナ装置の構成を示す図である。図１２において、３は給電部、５７、５８、５９、６０、６１、６２はアンテナ素子である。
【００９７】
次に、図１２を参照して、本実施の形態におけるアンテナ装置の動作を説明する。アンテナ素子５７、５８と給電部３とは、図１に示す第１の実施の形態におけるアンテナ装置と同様に動作し、放射器として動作する。アンテナ素子５９、６０は、その長さがアンテナ素子５７、５８に対し４％程度長く設定され、アンテナ素子５７、５８から約０．２λ（波長の０．２倍）程度−Ｘ方向に離して配置され、反射器として動作する。また、アンテナ素子６１、６２は、その長さがアンテナ素子５７、５８に対し８％程度短く設定され、アンテナ素子５７、５８から約０．２λ（波長の０．２倍）程度Ｘ方向に離して配置され、導波器として動作する。
【００９８】
以上のように構成されたアンテナ装置は、全体として八木アンテナと同様に動作して、Ｘ方向に放射指向性が集中し、約１１ｄＢの指向性利得が得られる。
本実施の形態では、３素子の八木アンテナを構成しているが、更に多数の素子を配列すれば、更に高い利得を得ることができる。例えば、５素子の場合は、約１２．５ｄＢの指向性利得が得られる。また、本実施の形態においても、屈曲部の角度αを変化させることにより、垂直面と水平面の指向性を変化させることができる。
【００９９】
以上説明したように、第９の実施の形態におけるアンテナ装置によると、所望の指向性を持った高い利得を有する八木アンテナを、簡単な構成で実現することができる。
【０１００】
（第１０の実施の形態）
次に、図１３を参照して、本発明の第１０の実施の形態におけるアンテナ装置について説明する。図１３は本発明の第１０の実施の形態におけるアンテナ装置の構成を示す図である。図１３において、６３、６４、６５、６６はアンテナ素子、６７、６８は高周波信号源である。
【０１０１】
次に、図１３を参照して、本実施の形態におけるアンテナ装置の詳細な構成及び動作について説明する。アンテナ素子６３、６４及び給電部６７は、図１に示す第１の実施の形態におけるアンテナ装置と同様に動作する。また、アンテナ素子６５、６６及び給電部６８も、図１の第１の実施の形態におけるアンテナ装置と同様に動作する。アンテナ素子６３、６４及びアンテナ素子６５、６６の主偏波方向は水平偏波であって同一であり、主放射方向は直角になるように配置される。
【０１０２】
以上説明したように構成されたアンテナ素子６３、６４及びアンテナ素子６５、６６に対し、それぞれ高周波信号６７及び６８をその位相が互いに９０度異なるように供給すると、水平偏波で水平面無指向性の放射特性を示し、約３．５ｄＢの利得を得ることができる。
【０１０３】
本実施の形態においても、屈曲部の角度αを変化させることにより、垂直面と水平面の指向性を変化させることができる。
以上説明したように、第１０の実施の形態のアンテナ装置では、高い利得を有する水平面無指向性アンテナを、簡単な構成で実現することができる。
【０１０４】
（第１１の実施の形態）
次に、図１４を参照して、本発明の第１１の実施の形態におけるアンテナ装置について説明する。図１４は本発明の第１１の実施の形態におけるアンテナ装置の構成を示す図である。図１４において、６９、７０、７１、７２、７３、７４、７５、７６はアンテナ素子、７７は高周波信号源である。
【０１０５】
次に、図１４を参照して、本実施の形態におけるアンテナ装置の動作を説明する。給電部７７とアンテナ素子６９、７０、７１、７２とは、図６に示す第３の実施の形態におけるアンテナ装置と同様に動作する。また、アンテナ素子７３、７４、７５、７６は、アンテナ素子６９、７０、７１、７２と並列に接続されて、互いに主偏波方向を同一にして主放射方向が直交するように配置される。
【０１０６】
以上説明したように構成されたアンテナ装置は、垂直偏波で水平面内の放射指向性がＸ、−Ｘ、Ｙ、−Ｙの４方向に集中する放射特性を示し、４方向の利得は約５．５ｄＢで、半値幅３０度程度の放射特性が得られる。
【０１０７】
本実施の形態においても、屈曲部の角度αを変化することにより、垂直面と水平面の指向性を変化することができる。
以上説明したように、第１１の実施の形態におけるアンテナ装置によると、所望の指向性を持った高い利得を有する４方向アンテナを、簡単な構成で実現することができる。
【０１０８】
（第１２の実施の形態）
次に、図１５を参照して、本発明の第１２の実施の形態におけるアンテナ装置について説明する。図１５は本発明の第１２の実施の形態におけるアンテナ装置の構成を示す図である。図１５において、７８、７９、８０、８１、８２、８３はアンテナ素子、８４は給電部、８５は反射板、８６、８７、８８、８９は高周波スイッチ、９０、９１は短絡線路である。
【０１０９】
次に、図１５を参照して、本実施の形態におけるアンテナ装置の構成を更に詳細に説明する。アンテナ素子７８、７９、８０、８１と給電部８４は、図６に示す第３の実施の形態におけるアンテナ装置と同様に動作する。また、アンテナ素子８２、８３はアンテナ素子７８、７９、８０、８１と並列に接続され、互いに主偏波方向を同一にして主放射方向が直交するように配置される。また、アンテナ素子７８、７９の一点に高周波スイッチ８６、８７及び短絡線路９０が接続される。そして、高周波スイッチ８６、８７をオンにしたときに、アンテナ素子７８、７９と短絡線路９０とにより４分の１波長のショートスタブとして動作し、アンテナ素子として放射に寄与しなくなる。また、アンテナ素子８０、８１と高周波スイッチ８８、８９及び短絡線路９１についても同様に動作する。また、反射板８５は、距離９２の間隔をおいてアンテナ素子７８、７９、８０、８１の−Ｘ方向に配置される。
【０１１０】
次に、図１５を参照して、本実施の形態におけるアンテナ装置の動作を説明する。以上のように構成されたアンテナ装置において、高周波スイッチ８６、８７をオンして高周波スイッチ８８、８９をオフにしたときは、アンテナ素子７８、７９は放射には寄与しないので、Ｘ方向とＹ方向の中間の方向へ放射が集中し、約９ｄＢの利得が得られ、半値幅約８０度の放射指向性が得られる。逆に、高周波スイッチ８６、８７をオフにして高周波スイッチ８８、８９をオンにしたときは、最大放射方向はＸ方向と−Ｙ方向の中間の方向へ向けられる。
【０１１１】
本実施の形態においても、屈曲部の角度αを変化することにより、垂直面と水平面の指向性を変化させることができる。
以上説明したように、第１２の実施の形態におけるアンテナ装置では、対向するアンテナ素子の一部同士を電子スイッチにより接続／切断自在にしたことによって所望の指向性が得られ、高い利得を有する指向性切り替えアンテナを、簡単な構成で実現することができる。
【０１１２】
（第１３の実施の形態）
次に、図１６を参照して、本発明の第１３の実施の形態におけるアンテナ装置について説明する。図１６は本発明の第１３の実施の形態におけるアンテナ装置の構成を示す図である。図１６において、９３、９４はアンテナパターン（アンテナ素子）、９５は４分の１波長シュートスタブ、９６は誘電体基板、９９は高周波信号ケーブルである。
【０１１３】
次に、図１６を参照して、本発明の第１３の実施の形態におけるアンテナ装置の詳細な構成及び動作について説明する。アンテナパターン９３、９４と４分の１波長シュートスタブ９５とは誘電体基板９６上に形成された印刷パターンで構成される。アンテナパターン９３、９４は、図７に示す第４の実施の形態におけるアンテナ装置と同様に動作し、その給電部９７におけるインピーダンスは数ｋΩと高くなる。このインピーダンスと高周波信号ケーブル９９のインピーダンス（一般的には５０Ω）とを整合させるために４分の１波長シュートスタブ９５を接続し、その最適な場所９８において接続する。
【０１１４】
ここで、４分の１波長シュートスタブ９５はアンテナパターン９３、９４の内部に配置されるため、アンテナ全体の面積を増大させることはない。
以上説明したように、第１３の実施の形態におけるアンテナ装置では、整合回路が誘電体基板上の印刷パターンによって形成され、小型で簡単な平面構成で実現することができる。
【０１１５】
（第１４の実施の形態）
次に、図１７を参照して、本発明の第１４の実施の形態におけるアンテナ装置について説明する。図１７は本発明の第１４の実施の形態におけるアンテナ装置の構成を示す図である。図１７において、１００は導体板、１０１はアンテナ素子としての第１スロット素子、１０２はアンテナ素子としての第２スロット素子、１０１ａ、１０２ａは屈曲部、１０３は給電部である。
【０１１６】
更に、本実施の形態におけるアンテナ装置の構成を詳細に説明する。第１及び第２スロット素子１０１、１０２は導体板１００上に設けられた開口部で構成され、それぞれ１波長の長さに形成される。また、中央の屈曲部１０１ａ及び１０２ａにおいて角度αで屈曲した形状とされる。第１及び第２スロット素子１０１、１０２は図に示すように、ひし形に対向して配置され、このひし形の一辺は２分の１波長（λ／２）となる。第１及び第２スロット素子１０１、１０２の一端は開口部が接続されて給電部１０３が設けられ、他の一端の開口部は接続されない。
【０１１７】
次に、図１７を参照して、本実施の形態におけるアンテナ装置の動作を説明する。上記のように構成されたアンテナ装置は、図１に示す第１の実施の形態におけるアンテナ装置と補対の関係となり、図１における各アンテナ素子に分布する電流を図１７における各スロット素子に分布する磁流に置き換えて、同様にその動作を説明することができる。図１７においても垂直偏波が放射され、Ｘ及び−Ｘ方向に最大放射が発生し、約６ｄＢの指向性利得が得られる。また、図１に示す第１の実施の形態のアンテナ装置と同様に、屈曲部の角度αを変化させることにより水平面及び垂直面の放射パターンを大幅に変化させることができる。例えば、屈曲部の角度αを３０度から１５０度まで大きくすると、水平面放射パターンの半値幅は４０度から１５０度へ変化し、垂直面放射パターンの半値幅は７８度から５８度へ変化する。
【０１１８】
尚、本実施の形態では、主偏波方向を垂直（Ｚ）方向としているが、図１７に示すアンテナ装置を９０度回転させて配置し、主偏波方向を水平（Ｙ）方向とすれば水平偏波アンテナとして同様に動作する。
【０１１９】
以上説明したように、第１４の実施の形態におけるアンテナ装置により、所望の指向性を持った高い利得を有するスロットアンテナを簡単な平面構成で実現することができる。
【０１２０】
（第１５の実施の形態）
次に、図１８を参照して、本発明の第１５の実施の形態におけるアンテナ装置について説明する。図１８は本発明の第１５の実施の形態におけるアンテナ装置の構成を示す図である。図１８において、１０３は給電部、１０４は導体板、１０５はアンテナ素子としての第１スロット素子、１０６はアンテナ素子としての第２スロット素子である。
【０１２１】
次に、図１８を参照して、本発明の第１５の実施の形態におけるアンテナ装置の詳細な構成及び動作について説明する。第１及び第２スロット素子１０５、１０６は導体板１０４上に設けられた開口部で構成され、それぞれ２波長の長さに形成される。また、第１及び第２スロット素子１０５、１０６は３カ所で角度αで屈曲した形状とされる。このように構成されたアンテナ装置は、図５に示す第２の実施の形態のアンテナ装置と補対の関係となる。図１７に示すアンテナ装置においては、垂直偏波が放射され、Ｘ及び−Ｘ方向に最大放射が発生し、約８．５ｄＢの指向性利得が得られる。また、図５の第２の実施の形態のアンテナ装置と同様に、角度αを変化することにより水平面及び垂直面の放射パターンを大幅に変化させることができる。例えば、角度αを６０度から１２０度まで大きくすると、水平面放射パターンの半値幅は５０度から６５度まで変化し、垂直面放射パターンの半値幅は５５度から３５度へ変化する。
【０１２２】
以上説明したように、第１５の実施の形態におけるアンテナ装置によると、所望の指向性を持った高い利得を有するスロットアンテナを簡単な平面構成で実現することができる。
【０１２３】
（第１６の実施の形態）
次に、図１９を参照して、本発明の第１６の実施の形態におけるアンテナ装置について説明する。図１９は本発明の第１６の実施の形態におけるアンテナ装置の構成を示す図である。図１９において、１０３は給電部、１０７は導体板、１０８、１１０はアンテナ素子としての第１スロット素子、１０９、１１１はアンテナ素子としての第２スロット素子である。
【０１２４】
次に、図１９を参照して、本発明の第１６の実施の形態におけるアンテナ装置の詳細な構成及び動作について説明する。第１スロット素子１０８、１０９と第２スロット素子１１０、１１１は、図１７に示す第１４の実施の形態におけるアンテナ装置と同様に動作し、給電部１０３において並列に接続される。図１９のように構成されたアンテナ装置は、図６に示す第３の実施の形態におけるアンテナ装置と補対の関係となる。図１９においては、垂直偏波が放射され、Ｘ及び−Ｘ方向に最大放射が発生し、約９ｄＢの指向性利得が得られる。また、図６に示す第３の実施の形態におけるアンテナ装置と同様に、角度αを変化させることにより水平面及び垂直面の放射パターンを大幅に変化させることができる。
【０１２５】
尚、本実施の形態では、図１７に示す第１４の実施の形態におけるアンテナ装置を２対並列に接続しているが、図１８に示す第１５の実施の形態におけるアンテナ装置を２対並列に接続すれば、垂直面内の指向性を絞り、更に高い指向性利得を得ることができる。
【０１２６】
以上説明したように、第１６の実施の形態におけるアンテナ装置によると、所望の指向性を持った高い利得を有するスロットアンテナを簡単な平面構成で実現することができる。
【０１２７】
（第１７の実施の形態）
次に、図２０を参照して、本発明の第１７の実施の形態におけるアンテナ装置について説明する。図２０は本発明の第１７の実施の形態におけるアンテナ装置の構成を示す図である。図２０において、１０３は給電部、１１２は誘電体基板、１１３は導体パターン、１１４、１１５、１１６、１１７はアンテナ素子としてのスロット素子である。
【０１２８】
次に、図２０を参照して、本発明の第１７の実施の形態におけるアンテナ装置の詳細な構成及び動作について説明する。導体パターン１１３は誘電体基板１１２上に形成された印刷パターンで構成され、スロット素子１１４、１１５、１１６、１１７は導体パターン１１３内に設けられた開口部で構成される。スロット素子１１４、１１５、１１６、１１７の長さは、例えば、誘電体基板１１２の実効比誘電率が２である場合、誘電体基板１１２上の波長は自由空間の約半分に短縮されるため、図１９に示すアンテナ装置の第１及び第２スロット素子１０８、１０９、１１０、１１１の約半分の長さとなる。このように構成されたアンテナ装置は、図１９に示すアンテナ装置と同様に動作する。
【０１２９】
尚、本実施の形態においても、屈曲部の角度αを変化させることにより、水平面及び垂直面の放射パターンを制御することができる。
以上説明したように、第１７の実施の形態のアンテナ装置によると、所望の指向性を持った高い利得を有するスロットアンテナを小型で簡単な平面構成で実現することができる。
【０１３０】
（第１８の実施の形態）
次に、図２１を参照して、本発明の第１８の実施の形態におけるアンテナ装置について説明する。図２１は本発明の第１８の実施の形態におけるアンテナ装置の構成を示す図である。図２１において、１０３は給電部、１０７は導体板、１０８、１１０はアンテナ素子としての第１スロット素子、１０９、１１１はアンテナ素子としての第２スロット素子、１１８は反射板である。
【０１３１】
次に、図２１を参照して、本発明の第１８の実施の形態におけるアンテナ装置の詳細な構成及び動作について説明する。導体板１０７と第１及び第２スロット素子１０８、１０９、１１０、１１１と給電部１０３とは、図１９に示す第１６の実施の形態のアンテナ装置と同様に動作する。また、反射板１１８は導体板１０７から距離１１９の間隔を置いて−Ｘ方向に配置される。
【０１３２】
導体板１０７と第１及び第２スロット素子１０８、１０９、１１０、１１１と給電部１０３とは、Ｘ方向及び−Ｘ方向に最大放射を発生するが、−Ｘ方向への放射は反射板１１８により反射されてＸ方向放射する。そのため、放射パターンはＸ方向に集中し、反射板１１８の距離１１９を０．３λ（波長の０．３倍）程度に選んだ場合、Ｘ方向に約１２．５ｄＢの指向性利得を得ることができる。
【０１３３】
尚、本実施の形態においても、屈曲部の角度αを変化させることにより、水平面及び垂直面の放射パターンを制御することができる。
以上説明したように、第１８の実施の形態におけるアンテナ装置によると、所望の指向性を持った高い利得を有するスロットアンテナを簡単な平面構成で実現することができる。
【０１３４】
（第１９の実施の形態）
次に、図２２を参照して、本発明の実施の形態におけるアンテナ装置を構成した本発明の第１９の実施の形態における無線装置について説明する。図２２は本発明の第１９の実施の形態におけるアンテナ装置の構成を示す図である。図２２において、１１９はアンテナ装置、１２０は高周波ケーブル、１２１は反射板、１２２は無線回路部、１２３はアンテナカバーである。
【０１３５】
次に、本実施の形態における無線装置の構成について更に詳細に説明する。反射板１２１は無線回路部１２２の側面に配置され、アンテナ装置１１９は反射板１２１から一定の距離（例えば、０．３λ）を置いて配置される。また、無線回路部１２２からアンテナ装置１１９に対し高周波ケーブル１２０が接続されて給電され、アンテナ装置１１９はアンテナカバー１２３によって保護される。そして、アンテナ装置１１９は図１６に示す第１３の実施の形態におけるアンテナ装置と同様に動作する。
【０１３６】
次に、図２２を参照して、本実施の形態における無線装置の動作について説明する。上記のように構成された無線装置において、アンテナ装置１１９からの放射は、反射板１２１により矢印１２４の方向に集中し、約９．５ｄＢの指向性利得を得ることができる。したがって、アンテナ特性は無線回路部１２２の影響を受けることなく、また、無線回路部１２２はアンテナ装置１１９からの放射電波の影響を受けることはない。
【０１３７】
また、反射板１２１とアンテナ装置１１９の間隔は約０．３λ程度（動作周波数が１９００ＭＨｚの場合は４５ｍｍ程度）であれば良いので、アンテナを内蔵した無線装置全体を小型化することができる。従って、この無線装置を固定端末装置や無線基地局に適用すれば、小型且つ簡単な構造で、所望の放射指向性が得られ、高い利得を有するアンテナを内蔵する固定端末装置や無線基地局を実現することができる。
【０１３８】
尚、無線装置及びアンテナ装置の構成は本実施の形態に限るものではなく、同様な構造であれば同様な効果が得られる。
以上説明したように、第１９の実施の形態における無線装置によると、所望の指向性を持った高い利得を有するアンテナを内蔵した無線装置を、小型で簡単な構成で実現することができる。
【０１３９】
（第２０の実施の形態）
次に、図２３を参照して、本発明の第２０の実施の形態におけるアンテナ装置について説明する。図２３は本発明の第２０の実施の形態におけるアンテナ装置の構成を示す図である。図２３において、１２５、１２６、１２７、１２８はアンテナ装置、１２９、１３０は反射板、１３１、１３２、１３３、１３４、１３５は固定金具、１３６は第１アンテナ系、１３７は第２アンテナ系、１３８はポールである。
【０１４０】
次に、図２３を参照して、本発明の第２０の実施の形態におけるアンテナ装置の詳細な構成及び動作について説明する。アンテナ装置１２５、１２６、１２７、１２８は、図１６に示す第１３の実施の形態におけるアンテナ装置と同様に動作し、アンテナ装置１２５、１２６は、反射板１２９を挟み１８０度対向した方向に向けられ、固定金具１３１、１３２で固定されて第１アンテナ系１３６を構成する。また、同様に、アンテナ装置１２７、１２８は反射板１３０を挟み１８０度対向した方向に向けられ、固定金具１３３、１３４で固定されて第２アンテナ系１３７を構成する。第１アンテナ系１３６と第２アンテナ系１３７は、固定金具１３５によって一定の間隔（一般には１波長以上の距離）を隔てて固定され、ダイバーシチアンテナとして動作する。
【０１４１】
ここで、第１アンテナ系１３６において、アンテナ装置１２５は反射板１２９の効果により、Ｘ方向へ半値幅約１８０度の放射指向性を示し、−Ｘ方向の利得はＸ方向に比べ１０ｄＢ程度低くなる。一方、アンテナ装置１２６は反射板１２９の効果により、−Ｘ方向へ半値幅約１８０度の放射指向性を示し、Ｘ方向の利得は−Ｘ方向に比べ１０ｄＢ程度低くなる。このように、アンテナ装置１２５及び１２６は反射板１２９を共用することになる。また、第２アンテナ系１３７も同様に動作する。
【０１４２】
尚、アンテナ装置及びその配列構成は本実施の形態に限るものではなく、同様な構造であれば同様な効果が得られる。
以上説明したように、第２０の実施の形態のアンテナ装置では、所望の指向性を持った高い利得を有するアンテナを複数配列したセクタダイバーシチアンテナを、小型で簡単な構成で実現することができる。
【０１４３】
【発明の効果】
本発明は、上記のように構成し、特に２つのアンテナ素子を対向してひし形に配置し、各アンテナ素子の一方の端部に給電し、他方の端部を開放して構成したアンテナ装置のアンテナ素子の中央を角度αで屈曲し、角度αを最適な放射指向性が得られる角度に設定するようにしたことにより、簡単な平面構成で、所望の最適な放射指向性が得られ、高い利得を有するアンテナ装置を実現することができる。
【０１４４】
また、本発明は、特にアンテナ素子を誘電体基板上に印刷パターンにより構成した場合も、小型且つ簡単な平面構成で、所望の放射指向性が得られ、高い利得を有するアンテナ装置を実現することができる。
【０１４５】
また、本発明は、特にアンテナ装置を２対主偏波方向が互いに直交するように配置し、互いに９０度位相が異なるように給電するようにしたことにより、簡単な平面構成で、所望の放射指向性が得られ、高い利得を有する円偏波アンテナを実現することができる。
【０１４６】
また、本発明は、特に複数のアンテナ装置をその主偏波方向を同一にして主放射方向が異なるよう配置し、１又は複数のアンテナ装置の相対向するアンテナ素子の一部同士を電子的に接続しまたは切断するようにしたことにより、簡単な構成で、放射指向性を複数切り替えて所望の指向性が得られ、高い利得を有する指向性切り替えアンテナ装置を得ることができる。
【０１４７】
また、本発明は、特に給電点に４分の１波長のショートスタブを接続してショートスタブのインピーダンスが最適となる点に給電するようにしたことにより、簡単な構成で、小型な整合回路により良好なインピーダンス整合が得られ、高い利得を有するアンテナ装置を得ることができる。
【０１４８】
また、本発明は、特に２つの導体板に設けられたスロット素子を対向してひし形に配置し、各スロット素子の一方の端部に給電し、他方の端部を開放して構成したアンテナ装置のスロット素子の中央を角度αで屈曲し、角度αを最適な放射指向性が得られる角度に設定するようにしたことにより、簡単な平面構成で、所望の放射指向性が得られ、高い利得を有するスロットアンテナを実現することができる。
【０１４９】
また、本発明は、特に２つのアンテナ素子を対向してひし形に配置し、各アンテナ素子の一方の端部に給電し、他方の端部を開放して構成したアンテナ装置のアンテナ素子の中央を角度αで屈曲し、角度αを最適な放射指向性が得られる角度に設定したアンテナ装置を無線装置に内蔵するようにしたことにより、所望の指向性を持った高い利得を有するアンテナを小型且つ簡単な構成で内蔵した無線装置を提供することができる。
【０１５０】
また、本発明は、特に複数のアンテナ装置により同一の反射板を共用するようにしたことにより、小型且つ簡単な構造で、所望の放射指向性が得られ、高い利得を有するダイバーシチアンテナやセクタアンテナを実現することができる。
【０１５１】
また、本発明は、特に本発明の実施の形態におけるアンテナ装置を内蔵した無線装置を搭載するようにしたことにより、小型且つ簡単な構造で、所望の放射指向性が得られ、高い利得を有するダイバーシチアンテナやセクタアンテナを無線基地局で使用することができる。
【図面の簡単な説明】
【図１】本発明の第１の実施の形態におけるアンテナ装置の構成を示す図、
【図２】図１に示すアンテナ装置の動作を説明する模式図、
【図３】図１に示すアンテナ装置の水平面放射パターンを示すグラフ図、
【図４】図１に示すアンテナ装置の垂直面放射パターンを示すグラフ図、
【図５】本発明の第２の実施の形態におけるアンテナ装置の構成を示す図、
【図６】本発明の第３の実施の形態におけるアンテナ装置の構成を示す図、
【図７】本発明の第４の実施の形態におけるアンテナ装置の構成を示す図、
【図８】本発明の第５の実施の形態におけるアンテナ装置の構成を示す図、
【図９】本発明の第６の実施の形態におけるアンテナ装置の構成を示す図、
【図１０】本発明の第７の実施の形態におけるアンテナ装置の構成を示す図、
【図１１】本発明の第８の実施の形態におけるアンテナ装置の構成を示す図、
【図１２】本発明の第９の実施の形態におけるアンテナ装置の構成を示す図、
【図１３】本発明の第１０の実施の形態におけるアンテナ装置の構成を示す図、
【図１４】本発明の第１１の実施の形態におけるアンテナ装置の構成を示す図、
【図１５】本発明の第１２の実施の形態におけるアンテナ装置の構成を示す図、
【図１６】本発明の第１３の実施の形態におけるアンテナ装置の構成を示す図、
【図１７】本発明の第１４の実施の形態におけるアンテナ装置の構成を示す図、
【図１８】本発明の第１５の実施の形態におけるアンテナ装置の構成を示す図、
【図１９】本発明の第１６の実施の形態におけるアンテナ装置の構成を示す図、
【図２０】本発明の第１７の実施の形態におけるアンテナ装置の構成を示す図、
【図２１】本発明の第１８の実施の形態におけるアンテナ装置の構成を示す図、
【図２２】本発明の第１９の実施の形態におけるアンテナ装置の構成を示す図、
【図２３】本発明の第２０の実施の形態におけるアンテナ装置の構成を示す図。
【符号の説明】
１、１１、１４、１５、２０  第１アンテナ素子
２、１２、１６、１７、２１  第２アンテナ素子
１ａ、２ａ、２０ａ、２１ａ  屈曲部
３  給電部
４  開放部
４ａ、４ｂ  開放部
６ａ、６ｂ、６ｃ、６ｄ  ダイポールアンテナ
１９、２４  誘電体基板
２２、２３、２９、３０、３１、３２    給電端子
２５、２６、２７、２８  アンテナ素子
３３、３４  高周波信号源
３５、３６、３７、３８、３９、４０、４１、４２  アンテナ素子
４５、４９  反射板
４６、４７  アンテナ素子
５０、５１  アンテナ素子
５２、５３  無給電素子
５７、５８、５９、６０、６１、６２  アンテナ素子
６３、６４、６５、６６  アンテナ素子
６７、６８、７７  高周波信号源
６９、７０、７１、７２、７３、７４、７５、７６  アンテナ素子
７８、７９、８０、８１、８２、８３  アンテナ素子
８４  給電部
８５  反射板
８６、８７、８８、８９  高周波スイッチ
９０、９１  短絡線路
９３、９４  アンテナパターン
９５  ４分の１波長ショートスタブ
９６  誘電体基板
１００、１０４、１０７  導体板
１０１、１０５、１０８、１１０  第１スロット素子
１０２、１０６、１０９、１１１  第２スロット素子
１０１ａ、１０２ａ  屈曲部
１０３  給電部
１１２  誘電体基板
１１３  導体パターン
１１４、１１５、１１６、１１７  スロット素子
１１８  反射板
１１９  アンテナ装置
１２０  高周波ケーブル
１２１  反射板
１２２  無線回路部
１２３  アンテナカバー
１２５、１２６、１２７、１２８  アンテナ装置
１２９、１３０  反射板
１３１、１３２、１３３、１３４、１３５  固定金具
１３６  第１アンテナ系
１３７  第２アンテナ系
１３８  ポール
【図１】
0004010650.tif 000002
【図２】
0004010650.tif 000003
【図３】
0004010650.tif 000004
【図４】
0004010650.tif 000005
【図５】
0004010650.tif 000006
【図６】
0004010650.tif 000007
【図７】
0004010650.tif 000008
【図８】
0004010650.tif 000009
【図９】
0004010650.tif 000010
【図１０】
0004010650.tif 000011
【図１１】
0004010650.tif 000012
【図１２】
0004010650.tif 000013
【図１６】
0004010650.tif 000014
【図１３】
0004010650.tif 000015
【図１４】
0004010650.tif 000016
【図１５】
0004010650.tif 000017
【図１７】
0004010650.tif 000018
【図１８】
0004010650.tif 000019
【図１９】
0004010650.tif 000020
【図２０】
0004010650.tif 000021
【図２１】
0004010650.tif 000022
【図２２】
0004010650.tif 000023
【図２３】
0004010650.tif 000024